(57)【特許請求の範囲】
【請求項１】
３Ｄ表示装置のデータラインの入力信号を調節して、前記３Ｄ表示装置の表示パネルの第４ｎ−２（ｎは自然数である）行及び第４ｎ行のサブピクセル領域が黒色を示し、第４ｎ−３行及び第４ｎ−１行のサブピクセル領域のそれぞれに左目及び右目の視差画像信号をそれぞれ入力して、３Ｄ表示を実現するための位相差板を用いて、鑑賞者のそれぞれ左目及び右目について、前記サブピクセル領域が順次に左目の画像、黒色、右目の画像を示すようにし、
前記サブピクセル領域が、少なくとも一行のサブピクセル構造ユニットを含み、
前記表示パネルにおいて、第４ｎ−１行もしくは第４ｎ＋１行のサブピクセル領域のゲート走査線が第４ｎ行のサブピクセル領域のゲート走査線に隣接するように設置され、または、前記表示パネルにおいて、第４ｎ−１行もしくは第４ｎ＋１行のサブピクセル領域の第４ｎ行のサブピクセル領域に最も近づいた一行のサブピクセル構造ユニットのゲート走査線が、第４ｎ行のサブピクセル領域のゲート走査線に隣接するように設置されたことを特徴とする、３Ｄ表示方法。
【請求項２】
前記第４ｎ−２行、第４ｎ行、第４ｎ−３行及び第４ｎ−１行のサブピクセル領域が、全て一行のサブピクセル構造ユニットであることを特徴とする、請求項１に記載の３Ｄ表示方法。
【請求項３】
前記第４ｎ−２行及び第４ｎ行のサブピクセル領域が一行のサブピクセル構造ユニットであり、前記第４ｎ−３行及び第４ｎ−１行のサブピクセル領域が三行のサブピクセル構造ユニットであることを特徴とする、請求項１に記載の３Ｄ表示方法。
【請求項４】
前記表示パネルの全てのサブピクセル構造ユニットが通常的に設置されたサブピクセル構造ユニットであり、
又は、前記表示パネルの全てのサブピクセル構造ユニットが通常的に設置されたサブピクセル構造ユニットを９０度回転させて得たものであることを特徴とする請求項１に記載の３Ｄ表示方法。
【請求項５】
前記通常的に設置されたサブピクセル構造ユニットが、縦横比が１：３の矩形であり、前記矩形の長辺が前記表示パネルの前記データラインに対して平行であることを特徴とする、請求項４に記載の３Ｄ表示方法。
【請求項６】
前記第４ｎ−１行、第４ｎ行及び第４ｎ＋１行のサブピクセル領域が全て一行のサブピクセル構造ユニットであることを特徴とする、請求項１に記載の３Ｄ表示方法。
【請求項７】
少なくとも一行のサブピクセル構造ユニットがある複数行のサブピクセル領域を含む表示パネルと、
３Ｄ表示装置のデータラインの入力信号を調節して、前記表示パネルの第４ｎ−２（ｎは自然数である）行及び第４ｎ行のサブピクセル領域が黒色を示し、第４ｎ−３行及び第４ｎ−１行のサブピクセル領域のそれぞれに左目及び右目の視差画像信号をそれぞれ入力して、前記サブピクセル領域が順次に左目の画像、黒色、右目の画像を示すようにする信号制御器と、
表示パネルの光出力側に設置して、３Ｄ表示を実現するための位相差板を用いて、左目の画像及び右目の画像をそれぞれ左目及び右目に提供する分光素子と、
を備え、
前記表示パネルにおいて、第４ｎ−１行もしくは第４ｎ＋１行のサブピクセル領域のゲート走査線が第４ｎ行のサブピクセル領域のゲート走査線に隣接するように設置され、または、前記表示パネルにおいて、第４ｎ−１行もしくは第４ｎ＋１行のサブピクセル領域の第４ｎ行のサブピクセル領域に最も近づいた一行のサブピクセル構造ユニットのゲート走査線が、第４ｎ行のサブピクセル領域のゲート走査線に隣接するように設置されたことを特徴とする、３Ｄ表示装置。
【請求項８】
前記第４ｎ−２行、第４ｎ行、第４ｎ−３行及び第４ｎ−１行のサブピクセル領域が、全て一行のサブピクセル構造ユニットであることを特徴とする、請求項７に記載の３Ｄ表示装置。
【請求項９】
前記第４ｎ−２行及び第４ｎ行のサブピクセル領域が、前記第４ｎ−３行及び第４ｎ−１行のサブピクセル領域に比べて、含まれた前記サブピクセル構造ユニットの行数が異なることを特徴とする、請求項７に記載の３Ｄ表示装置。
【請求項１０】
前記第４ｎ−２行及び第４ｎ行のサブピクセル領域が一行のサブピクセル構造ユニットであり、前記第４ｎ−３行及び第４ｎ−１行のサブピクセル領域が三行のサブピクセル構造ユニットであることを特徴とする、請求項９に記載の３Ｄ表示装置。
【請求項１１】
前記表示パネルの全てのサブピクセル構造ユニットが通常的に設置されたサブピクセル構造ユニットであり、
又は、前記表示パネルの全てのサブピクセル構造ユニットが通常的に設置されたサブピクセル構造ユニットを９０度回転させて得たものであることを特徴とする、請求項７に記載の３Ｄ表示装置。
【請求項１２】
前記通常的に設置されたサブピクセル構造ユニットが、縦横比が１：３の矩形であり、前記矩形の長辺が前記表示パネルの前記データラインに対して平行であることを特徴とする、請求項１１に記載の３Ｄ表示装置。
【請求項１３】
前記第４ｎ−１行、第４ｎ行及び第４ｎ＋１行のサブピクセル領域が全て一行のサブピクセル構造ユニットであることを特徴とする、請求項７に記載の３Ｄ表示装置。
【請求項１４】
前記３Ｄ表示装置がエレクトロルミネッセンス表示装置またはプラズマ表示装置であることを特徴とする、請求項７に記載の３Ｄ表示装置。
【請求項１５】
前記３Ｄ表示装置が、前記表示パネルと前記分光素子との間にある偏光シートをさらに含むことを特徴とする、請求項１４に記載の３Ｄ表示装置。
【発明の詳細な説明】
【技術分野】
【０００１】
本発明は、３Ｄ表示方法及び表示装置に関する。
【背景技術】
【０００２】
３Ｄ（Ｔｈｒｅｅ  Ｄｉｍｅｎｓｉｏｎｓ，三次元）画像表示の原理は、人の左目に左目の画像を、右目に右目の画像を示させ、左目の画像及び右目の画像は視差のある立体画像対であり、鑑賞者が実物に類似する三次元的立体画像を見るようにするものである。
【０００３】
偏光眼鏡式立体表示は、現在の立体表示分野で主流技術の一種であり、その基本的な構成は、表示パネルの前に位相差板や、液晶セルや、異なる画素の出射光の偏光方向を調節できるデバイスなどの出射光の偏光方向を調節できるデバイスを配置して、画素の出射光の偏光方向を回転させる。その中で、好適である位相差板を採用した技術は、その基本構成は表示パネルと精度良く位置合わせした一つの位相差板を貼り付け、位相差板の異なる領域で異なる位相遅延が発生することによって、異なる画素の光を異なる偏光方向で出射させ、鑑賞者が偏光眼鏡を掛けた状態で３Ｄ効果を見えるようにする。ものである
【０００４】
良好な３Ｄ画面を見るためには、鑑賞者が視野角内にいなければならないため、視野角の大きさが３Ｄディスプレーの垂直鑑賞視野角及び鑑賞効果を定める。従来の技術では、３Ｄ表示装置の薄膜トランジスターアレイ基板上に、ゲート走査線及びデータ走査線を形成し、隣接した一組のゲート走査線及び一組のデータ走査線が一つのサブピクセル構造ユニットを構成し、前記サブピクセル構造ユニットのそれぞれが薄膜トランジスターとサブピクセル電極とを備え、前記薄膜トランジスターアレイ基板上にマトリクス状に配置した複数のサブピクセル構造ユニットを設置する。
【０００５】
図１に示すように、３Ｄ液晶表示装置の視野角θは以下の数式から計算される。
【０００６】
【数１】
0006258233.tif 000002
【０００７】
ただし、θは３Ｄ視野角、ａは画素電極の高さ、ｂは異なる画像信号を印加する隣接した二つの行画素電極の間の遮光領域の幅、ｈは表示パネルから位相差板までの距離、ｃは位相差板の一つの縞の幅、ｐは画素電極構造ユニットの大きさであり、ｐ＝ａ＋ｂの一定値である。
【０００８】
従来の技術では、隣接した行画素電極に異なる視差画像信号を印加して３Ｄ画面を表示し、隣接した二行の画素電極領域の間の距離ｂはただブラックマトリクスの幅であるので、３Ｄディスプレーの視野角が小さく、鑑賞範囲が狭い。
【発明の概要】
【発明が解決しようとする課題】
【０００９】
本発明の実施例は、３Ｄ表示装置の視野角を大きくするための３Ｄ表示方法及び表示装置を提供する。
【課題を解決するための手段】
【００１０】
一方、本発明の実施例が提供する一種の３Ｄ表示方法は、３Ｄ表示装置のデータラインの入力信号を調節して、前記３Ｄ表示装置の表示パネルの第４ｎ−２（ｎは自然数である）行及び第４ｎ行のサブピクセル領域が黒色を示し、第４ｎ−３行及び第４ｎ−１行のサブピクセル領域のそれぞれに左目及び右目の視差画像信号をそれぞれ入力して、前記サブピクセル領域が順次に左目の画像、黒色、右目の画像を示すようにする。また、前記サブピクセル領域は少なくとも一行のサブピクセル構造ユニットを含む。
【００１１】
好ましくは、前記第４ｎ−２行、第４ｎ行、第４ｎ−３行及び第４ｎ−１行のサブピクセル領域が、全て一行のサブピクセル構造ユニットである。
【００１２】
好ましくは、前記第４ｎ−２行及び第４ｎ行のサブピクセル領域が一行のサブピクセル構造ユニットであり、前記第４ｎ−３行及び第４ｎ−１行のサブピクセル領域が三行のサブピクセル構造ユニットである。
【００１３】
また、本発明の実施例が提供する一種の３Ｄ表示装置は、少なくとも一行のサブピクセル構造ユニットを備える複数行のサブピクセル領域を含む表示パネルと、前記３Ｄ表示装置のデータラインの入力信号を調節して、前記表示パネルの第４ｎ−２（ｎは自然数である）行及び第４ｎ行のサブピクセル領域が黒色を示し、第４ｎ−３行及び第４ｎ−１行のサブピクセル領域のそれぞれに左目及び右目の視差画像信号をそれぞれ入力して、サブピクセル領域が順次に左目の画像、黒色、右目の画像を示すようにする信号制御器と、表示パネルの光出力側に設置して左目の画像と右目の画像をそれぞれ左目及び右目に提供する分光素子とを備える。
【００１４】
好ましくは、前記第４ｎ−２行、第４ｎ行、第４ｎ−３行及び第４ｎ−１行のサブピクセル領域が、全て一行のサブピクセル構造ユニットである。
【００１５】
好ましくは、前記第４ｎ−２行及び第４ｎ行のサブピクセル領域が一行のサブピクセル構造ユニットであり、前記第４ｎ−３行及び第４ｎ−１行のサブピクセル領域が三行のサブピクセル構造ユニットである。
【００１６】
好ましくは、前記表示パネルの全てのサブピクセル構造ユニットが通常的に設置されたサブピクセル構造ユニットであり、
又は、前記表示パネルの全てのサブピクセル構造ユニットが通常的に設置されたサブピクセル構造ユニットを９０度回転させて得たものである。
【００１７】
好ましくは、前記通常的に設置されたサブピクセル構造ユニットは、縦横比が１：３の矩形であり、前記矩形の長辺が前記表示パネルの前記データラインに対して平行である。
【００１８】
好ましくは、前記表示パネルにおいて、第４ｎ−１行または第４ｎ＋１行のサブピクセル領域のゲート走査線が第４ｎ行のサブピクセル領域に近づくように設置され、第４ｎ行のサブピクセル領域周辺のブラックマトリクス領域を広くする。
【００１９】
好ましくは、前記第４ｎ−１行、第４ｎ行及び第４ｎ＋１行のサブピクセル領域が全て一行のサブピクセル構造ユニットである。
【００２０】
本発明の実施例は、左目の画像表示領域と右目の画像表示領域との間で黒色表示領域を増加させることによって、３Ｄ表示の視野角を変更し、３Ｄ表示装置の視野範囲を増加させる一種の３Ｄ表示方法を提供する。
【００２１】
本発明の実施例または従来の技術をさらに明確に説明するために、以下実施例または従来の技術の記載に必要な図面を簡単に紹介する。なお、以下の図面は本発明の実施例の一部であり、当業者であれば、創造的労働をしなくてもこれらの図面に基づき他の図面を得ることができる。
【図面の簡単な説明】
【００２２】
【図１】３Ｄ表示装置の視野角の計算原理図である。
【図２】本発明の実施例に係る３Ｄ表示装置の一種の表示方法の説明図である。
【図３】本発明の実施例に係る３Ｄ表示装置の他の一種の表示方法の説明図である。
【図４】本発明の実施例に係る薄膜トランジスターアレイ基板の構成の概略図である。
【図５】本発明の実施例に係る薄膜トランジスターアレイ基板の他の一種の構成の概略図である。
【発明を実施するための形態】
【００２３】
以下、本発明の実施例の図面を参照しながら、本発明の実施例の技術案を明確且つ完全に説明する。なお、記載する実施例は本発明の部分的実施例のみであり、全ての実施例ではない。本発明の実施例に基づき、当業者が創造的労働をしなくて得られる全ての他の実施例の全ても本発明の保護範囲内に属する。
【００２４】
実施例１
本発明の実施例が提供する方法は主に３Ｄ表示装置に使用可能である。３Ｄ表示装置の表示原理は、人の左目に左目の画像を、右目に右目の画像を示させ、左目の画像及びと右目の画像は視差のある立体画像対であり、鑑賞者が実物に類似する三次元の立体画像を見ることができるようにするものである。画質が良い３Ｄ画面を得るために、鑑賞者が視野角内にいなければならない。従って、視野角の大きさが３Ｄディスプレーの垂直鑑賞視野角及び鑑賞効果を定める。
【００２５】
３Ｄ表示装置の視野角を大きくするために、本発明の実施例が提供する一種の３Ｄ表示方法は、３Ｄ表示装置のデータラインの入力信号を調節して、３Ｄ表示装置の表示パネルの第４ｎ−２（ｎは自然数である）行及び第４ｎ行のサブピクセル領域が黒色を示し、第４ｎ−３行及び第４ｎ−１行のサブピクセル領域のそれぞれに左目及び右目の視差画像信号をそれぞれ入力して、サブピクセル領域が順次に左目の画像、黒色、右目の画像を示すようにする。ただし、サブピクセル領域は少なくとも一行のサブピクセル構造ユニットを含む。
【００２６】
例えば、第４ｎ−２行、第４ｎ行、第４ｎ−３行及び第４ｎ−１行のサブピクセル領域が、全て一行のサブピクセル構造ユニットである（図２に示す状況に対応できる）。
【００２７】
例えば、第４ｎ−２行及び第４ｎ行のサブピクセル領域が、一行のサブピクセル構造ユニットであり、第４ｎ−３行及び第４ｎ−１行のサブピクセル領域が、三行のサブピクセル構造ユニットである（図３に示す状況に対応できる）。第４ｎ−３行及び第４ｎ−１行のサブピクセル領域が三行のサブピクセル構造ユニットであることにより、一行ごとのサブピクセル構造ユニットがＲＧＢ三原色中の一つの色に対応できるので、さらに良好な表示効果を得ることができる。
【００２８】
また、図２に示す表示パネルの全てのサブピクセル構造ユニットは通常的に設置されたサブピクセル構造ユニットであるが、図３に示す表示パネルの全てのサブピクセル構造ユニットは通常的に設置されたサブピクセル構造ユニットを９０度回転させて得たものである。一般的に、通常的に設置されたサブピクセル構造ユニットは、通常は矩形であり、矩形の長辺は表示パネルのデータラインに対して平行である。一般的に、矩形の縦横比は実際の設計を介して設定でき、例えば、通常のタイプは縦横比が１：３である。
【００２９】
なお、本発明の実施例で記載された３Ｄ表示方法は、応用される３Ｄ表示装置の具体的な構造と種類を限定せず、即ち、全ての３Ｄ表示装置に本発明の実施例で記載された表示方法を適用することができる。
【００３０】
本発明が提供する３Ｄ表示方法は３Ｄ液晶表示装置に使われることができ、ＥＬ（ｅｌｅｃｔｒｉｃａｌ  Ｌｉｇｈｔｉｎｇ，エレクトロルミネッセンス）またはＰＤＰ（Ｐｌａｓｍａ  Ｄｉｓｐｌａｙ  Ｐａｎｅｌ，プラズマ表示パネル）表示装置にも使われることができる。以下、３Ｄ液晶表示装置に応用される場合を例として具体的に説明する。
【００３１】
液晶表示装置の表示原理によって、液晶表示装置の視野角を大きくするために、本発明の実施例が提供する一種の表示方法は、マトリクス状に配置された複数のサブピクセル構造ユニットを含む薄膜トランジスターアレイ基板に対して、サブピクセル領域の電圧を調節して、第４ｎ−２（ｎは自然数である）行及び第４ｎ行のサブピクセル領域が黒色を示し、第４ｎ−３行及び第４ｎ−１行のサブピクセル領域のそれぞれに左目及び右目の視差画像信号をそれぞれ入力して、サブピクセル領域が順次に左目の画像、黒色、右目の画像を示すようにする。
【００３２】
なお、本発明の実施例におけるサブピクセル構造ユニットはマトリクス状に配置され、サブピクセル領域は複数行のサブピクセル構造ユニットを含み、且つ、第４ｎ−２（ｎは自然数である）行及び第４ｎ行のサブピクセル領域に含まれたサブピクセル構造ユニットの行数は、第４ｎ−３行及び第４ｎ−１行のサブピクセル領域に含まれたサブピクセル構造ユニットの行数と異なることができる。
【００３３】
さらに、サブピクセル領域は少なくとも一行のサブピクセル構造ユニットを含み、サブピクセル構造ユニットは、薄膜トランジスターアレイ基板において隣接する一組のゲート走査線と一組のデータ走査線とが交叉して限定された領域であり、且つ、サブピクセル構造ユニットの縦横比が１：３である。
【００３４】
以下、図２に示すように、サブピクセル領域が一行のサブピクセル構造ユニットを含む場合を例として説明をする。
【００３５】
薄膜トランジスターアレイ基板上に形成されマトリクス状に配置された複数のサブピクセル構造ユニットに対して、第４ｎ−２（ｎは自然数である）行及び第４ｎ行のサブピクセル領域に黒色を示させ、第４ｎ−３行及び第４ｎ−１行のサブピクセル領域のそれぞれに左目及び右目の視差画像信号をそれぞれ入力して、サブピクセル領域が順次に左目の画像、黒色、右目の画像を示すようにする。例えば、第４ｎ−２行及び第４ｎ行のサブピクセル領域の入力電圧を調節することによって、第４ｎ−２行及び第４ｎ行が黒色を示すようにする。同時に、第４ｎ−３行及び第４ｎ−１行のサブピクセル領域のそれぞれに左目及び右目の視差画像信号をそれぞれ入力して、第４ｎ−３行及び第４ｎ−１行のサブピクセル領域がそれぞれ左目の画像、右目の画像を示すようにする。即ち、サブピクセル領域において、第１、５、９・・・行のサブピクセル領域が左目画像を示し、第２、４、６・・・行のサブピクセル領域が黒色を示し、第３，７，１１・・・行が右目画像を示すようにする。最後に、サブピクセル領域で順次に左目の画像、黒色、右目の画像を示すようにして、鑑賞者が鑑賞する際に、左目に左目の画像を、右目に右目の画像を示させ、左目の画像及び右目の画像は視差のある立体画像対であり、鑑賞者が実物に類似する三次元的立体画像を見るようにする。
【００３６】
左目及び右目の表示領域の間に一行の黒色を示すサブピクセル領域を設置することによって、左目の画像領域と右目の画像領域との間にある黒色の表示領域の幅を大きくさせ、即ち、ｂ値が一つのサブピクセル構造ユニットの幅ｐを大きくさせ、さらに視野角θを増加させることで、３Ｄ液晶表示装置の視野範囲を増加させる。
【００３７】
好ましくは、本発明の実施例で提供する他の一種の３Ｄ液晶表示装置の表示方法は、液晶表示装置の薄膜トランジスターアレイ基板上の複数のサブピクセル構造ユニットを９０度回転させた後にサブピクセル領域の動作電圧を調節して、第４ｎ−２（ｎは自然数である）行及び第４ｎ行のサブピクセル領域が黒色を示し、第４ｎ−３行及び第４ｎ−１行のサブピクセル領域のそれぞれに左目及び右目の視差画像信号をそれぞれ入力して、サブピクセル領域が順次に左目の画像、黒色、右目の画像を示すようにする。
【００３８】
具体的に、基板上にサブピクセル構造ユニットを形成するとき、全てのサブピクセル構造ユニットを９０度回転させ、サブピクセル構造ユニットは薄膜トランジスターアレイ基板上の隣接した一組のゲート走査線と一組のデータ走査線とが交叉して限定された領域であり、且つ、サブピクセル構造ユニットが回転した後、その縦横比が３：１になるようにする。回転させた後の薄膜トランジスターアレイ基板に対して、第４ｎ−２（ｎは自然数である）行及び第４ｎ行のサブピクセル領域が黒色を示し、第４ｎ−３行及び第４ｎ−１行のサブピクセル領域のそれぞれに左目及び右目の視差画像信号をそれぞれ入力して、サブピクセル領域が順次に左目の画像、黒色、右目の画像を示すようにする。
【００３９】
例えば、図３に示すように、本発明の実施例は、第４ｎ−２行及び第４ｎ行のサブピクセル領域が一行のサブピクセル構造ユニットを含み、第４ｎ−３行及び第４ｎ−１行のサブピクセル領域が三行のサブピクセル構造ユニットを含むことを例として説明する。
【００４０】
薄膜トランジスターアレイ基板上に形成されマトリクス状に配置された複数のサブピクセル構造ユニットに対して、第４ｎ−２（ｎは自然数である）行及び第４ｎ行のサブピクセル領域が黒色を示し、第４ｎ−３行及び第４ｎ−１行のサブピクセル領域のそれぞれに左目及び右目の視差画像信号をそれぞれ入力して、サブピクセル領域が順次に左目の画像、黒色、右目の画像を示すようにする。即ち、サブピクセル領域において、第１、５、９・・・行のサブピクセル領域が左目の画像を示し、第２、４、６・・・行のサブピクセル領域が黒色を示し、第３，７，１１・・・行のサブピクセル領域が右目の画像を示すようにする。最後に、サブピクセル領域が順次に左目の画像、黒色、右目の画像を示すようにして、鑑賞者が鑑賞する際、左目に左目の画像を、右目に右目の画像を示させ、左目の画像及び右目の画像は視差のある立体画像対であり、鑑賞者が実物に類似する三次元的立体画像を見るようにする。
【００４１】
また、第４ｎ−３行及び第４ｎ−１行のサブピクセル領域は三行のサブピクセル構造ユニットを含み、ただし、サブピクセル領域のサブピクセル構造ユニットは行を単位として赤、緑、青の三原色を示す。第４ｎ−２行及び第４ｎ行のサブピクセル領域は一行のサブピクセル構造ユニットを含み、黒色の画像を示し、且つ、全てのサブピクセル構造ユニットが９０度回転された後に、サブピクセル構造ユニットの回転された後の縦横比が３：１になるようにする。従って、この場合、左目の画像表示領域及び右目の画像表示領域の幅が全て３＊Ｐ/３であり、黒色の画像表示領域の幅は従来の技術と比べ、一つのサブピクセル構造ユニットの幅のＰ/３が大きくなり、さらに視野角を増加させることで、３Ｄ液晶表示装置の視野範囲を増加させる。また、上述した表示方法に比べ、３Ｄ液晶表示装置の解像度をさらに向上し、画面の表示効果が良好になる。
【００４２】
本発明の実施例で提供した一種の３Ｄ表示装置の表示方法は、３Ｄ表示装置の表示パネルの左目の画像表示領域と右目の画像表示領域との間にある黒色表示領域の幅を大きくすることで、３Ｄ表示装置の視野角を増加させ、さらに３Ｄ表示装置の視野範囲を増加させる。
【００４３】
実施例２
本発明の実施例が提供する一種の３Ｄ表示装置は、表示パネルと信号制御器とを備え、表示パネルは、少なくとも一行のサブピクセル構造ユニットを含む複数行のサブピクセル領域を含み、信号制御器は、３Ｄ表示装置のデータラインの入力信号を調節して、表示パネルの第４ｎ−２（ｎは自然数である）行及び第４ｎ行のサブピクセル領域が黒色を示し、第４ｎ−３行及び第４ｎ−１行のサブピクセル領域のそれぞれに左目及び右目の視差画像信号をそれぞれ入力して、サブピクセル領域が順次に左目の画像、黒色、右目の画像を示すようにする。
【００４４】
信号制御器は、通常の表示装置のデータ信号駆動器でもよく、信号入力制御が実現できる別の制御チップであってもよい。
【００４５】
例えば、第４ｎ−２行、第４ｎ行、第４ｎ−３行及び第４ｎ−１行のサブピクセル領域が、全て一行のサブピクセル構造ユニットである。
【００４６】
例えば、第４ｎ−２行及び第４ｎ行のサブピクセル領域が、一行のサブピクセル構造ユニットであり、第４ｎ−３行及び第４ｎ−１行のサブピクセル領域が、三行のサブピクセル構造ユニットである。
【００４７】
例えば、本発明の実施例の３Ｄ表示装置において、表示パネルの全てのサブピクセル構造ユニットは通常的に設置されたサブピクセル構造ユニットであり、又は、表示パネルの全てのサブピクセル構造ユニットは通常的に設置されたサブピクセル構造ユニットを９０度回転させて得たものである。
【００４８】
好ましくは、通常的に設置されたサブピクセル構造ユニットの縦横比は１：３である。例えば、矩形の長辺が表示パネルのデータラインに対して平行である。例えば、矩形の長辺が表示パネルの走査線に対して平行であってもよい。
【００４９】
好ましくは、表示パネルにおいて、第４ｎ−１行または第４ｎ＋１行のサブピクセル領域のゲート走査線を第４ｎ行のサブピクセル領域に近づくように設置し、又は、第４ｎ−１行または第４ｎ＋１行のサブピクセル領域の第４ｎ行のサブピクセル領域に近づいたサブピクセル構造ユニットのゲート走査線を第４ｎ行のサブピクセル領域に近づくように設置して、第４ｎ行のサブピクセル領域の幅を大きくする。
【００５０】
本発明の実施例の３Ｄ表示装置は、３Ｄ液晶表示装置でもよく、３ＤのＥＬ（ｅｌｅｃｔｒｉｃａｌ  Ｌｉｇｈｔｉｎｇ，エレクトロルミネッセンス）またはＰＤＰ（Ｐｌａｓｍａ  Ｄｉｓｐｌａｙ  Ｐａｎｅｌ，プラズマ表示パネル）表示装置であってもよい。以下、３Ｄ液晶表示装置を例にして具体的に説明する。
【００５１】
例えば、本発明の実施例は３Ｄ液晶表示装置を提供し、３Ｄ液晶表示装置は、薄膜トランジスターアレイ基板を含む液晶表示パネルを備えており、図４に示すように、薄膜トランジスターアレイ基板は、基板４００と、基板上に設置されマトリクス状に配置された複数のサブピクセル構造ユニット４０１とを備え、第４ｎ−２（ｎは自然数である）行及び第４ｎ行のサブピクセル領域が黒色を示し、第４ｎ−３行及び第４ｎ−１行のサブピクセル領域のそれぞれに左目及び右目の視差画像信号をそれぞれ入力して、サブピクセル領域が順次に左目の画像、黒色、右目の画像を示すようにする。
【００５２】
例えば、サブピクセル領域は少なくとも一行のサブピクセル構造ユニットを含み、ただし、サブピクセル構造ユニットは、薄膜トランジスターアレイ基板上の隣接する一組のゲート走査線４０２と一組のデータ走査線４０３とが交叉して限定されたユニットであり、且つ、サブピクセル構造ユニットの縦横比が１：３である。
【００５３】
好ましくは、複数のサブピクセル構造ユニットにおいて、第４ｎ−１行或は第４ｎ＋１行のサブピクセル領域のゲート走査線を調節して、第４ｎ−１行或は第４ｎ＋１行のサブピクセル領域のゲート走査線が第４ｎ行のサブピクセル領域に近づくようにして、第４ｎ行のサブピクセル領域の幅を増加し、又は、第４ｎ−１行或は第４ｎ＋１行のサブピクセル領域の第４ｎ行のサブピクセル領域に近づくサブピクセル構造ユニットのゲート走査線を調節して第４ｎ行のサブピクセル領域に近づくようにすることで、第４ｎ行のサブピクセル領域の幅を増加する。
【００５４】
例えば、図５に示すように、薄膜トランジスターアレイ基板５００は、複数のサブピクセル構造ユニット５０１を９０度回転させるように設置され、且つ、第４ｎ−３行及び第４ｎ−１行のサブピクセル領域が三行のサブピクセル構造ユニットを含み、第４ｎ−２行及び第４ｎ行のサブピクセル領域が一行のサブピクセル構造ユニットを含むことを例にして説明する。ただし、第１、５、９・・・行のサブピクセル領域が左目の画像を示し、第２、４、６・・・行のサブピクセル領域が黒色を示し、第３，７，１１・・・行のサブピクセル領域が右目の画像を示すようにする。
【００５５】
具体的には、第４ｎ−１行或は第４ｎ＋１行のサブピクセル領域の第４ｎ行のサブピクセル領域から最も近い一行のサブピクセル構造ユニットのゲート走査線５０２を第４ｎ行のサブピクセル領域に調節し、データ走査線５０３は調節しない。これによって、サブピクセル構造ユニットのゲート走査線を第４ｎ行のサブピクセル領域に近づけて、第４ｎ行のサブピクセル周辺のブラックマトリクスの幅を増加する。つまり、第３行、第５行、第７行、第９行・・・のサブピクセル領域の、第４ｎ行のサブピクセル領域から最も近い一行のサブピクセル構造ユニットのゲート走査線を第４ｎ行のサブピクセル領域に調節する。画像を表示する時、第４ｎ行のサブピクセル領域の幅が増加する。
【００５６】
本発明の実施例が提供する一種の３Ｄ表示装置は、３Ｄを示す時に、左目の画像表示領域及び右目の画像表示領域との間で黒色の表示領域の幅を大きくすることによって、３Ｄ表示装置の視野角を増加させ、３Ｄ表示装置の視野範囲を増加させる。
【００５７】
なお、本発明の実施例が提供する３Ｄ表示装置がＥＬやＰＤＰや他の表示装置である場合、表示パネルの光出力側に偏光シートを設けることによって偏光を生成し、また、偏光シートの光出力側に３Ｄ表示を実現するための位相差板を設置することで３Ｄ表示効果を実現する。
【００５８】
以上の説明は、本発明の具体的な実施例のみであり、本発明の保護範囲はそれに限らず、本分野の当業者が本発明の記載した技術範囲内で容易に想到される変化及び置き換えの全ては、本発明の保護範囲に属するべきである。従って、本発明の保護範囲は、特許請求の範囲に基づくべきである。
【符号の説明】
【００５９】
４００  基板
４０１  サブピクセル構造ユニット
４０２  ゲート走査線
４０３  データ走査線
５００  薄膜トランジスターアレイ基板
５０１  サブピクセル構造ユニット
５０２  ゲート走査線
５０３  データ走査線
【図１】
0006258233.tif 000003
【図２】
0006258233.tif 000004
【図３】
0006258233.tif 000005
【図４】
0006258233.tif 000006
【図５】
0006258233.tif 000007